(57)【要約】【課題】従来は回転軸にＥリングを嵌めて抜け止めする構造であったため、Ｅリングの装着に手間取り、また、Ｅリングの分だけ部品コストが上昇する等の不具合があった。本発明の目的は、前記Ｅリングの使用を不要とし簡単に回転軸の取り付けが行える操作ハンドルを提供することにある。【解決手段】電動式パチンコ機の操作ハンドルは、固定的なベース部材３と、ベース部材３に回転自在に取り付けられる回転ハンドル４と、回転ハンドル４の回転力を伝達する回転軸６と、回転ハンドル４を挟んでベース部材３に連結される固定的なキャップ部材７とを有する。前記回転軸６のキャップ部材７側の端部に軸頭部６ｂを形成し、その軸頭部６ｂの引っ掛かりによって回転軸６のパチンコ機側への移動を規制するようにした。【選択図】        図１
2010269180.tif 000002
【特許請求の範囲】
【請求項１】
パチンコ機側に取り付けられる固定的なベース部材と、そのベース部材に回転自在に取り付けられる回転ハンドルと、その回転ハンドルの中心を通り且つ回転ハンドルの回転力をパチンコ機の裏側に伝達する回転軸と、前記回転ハンドルを挟んで前記ベース部材に連結される固定的なキャップ部材とを有し、回転ハンドルの回転量を加減することによって発射球の打球勢を調節するようにした電動式パチンコ機の操作ハンドルにおいて、
前記回転軸のキャップ部材側の端部に回転ハンドルに設けた回転軸挿通用の軸孔を通り抜けない形状の軸頭部を形成し、その軸頭部の引っ掛かりによって回転軸のパチンコ機側への移動が規制されるようにしたことを特徴とする電動式パチンコ機の操作ハンドル。
【発明の詳細な説明】
【技術分野】
【０００１】
本発明は、電動式パチンコ機において遊技者が発射球の打球勢を調節するために使用する操作ハンドルに関する。
【背景技術】
【０００２】
従来、電動式パチンコ機の操作ハンドル１００は図６，図７に示したように、パチンコ機側に取り付けられる固定的なベース部材１０１と、そのベース部材１０１に回転自在に取り付けられる回転ハンドル１０２と、その回転ハンドル１０２の中心を通り且つ回転ハンドル１０２の回転力をパチンコ機の裏側に伝達する回転軸１０３と、前記回転ハンドル１０２を挟んで前記ベース部材１０１に連結される固定的なキャップ部材１０４とを有し、回転ハンドル１０２の回転量を加減することによって発射球の打球勢を調節する、というのが一般的である。そして前記回転ハンドル１０２と回転軸１０３は、回転ハンドル１０２に非円形の軸孔１０５を形成し、一方、回転軸１０３の端部に前記回転ハンドル１０２の軸孔１０５に合致する断面非円形部１０６とＥリング用の溝１０８を形成し、その回転軸１０３の断面非円形部１０６を図７二点鎖線のように回転ハンドル１０２の裏側（パチンコ機の前枠に対向する面側）から軸孔１０５に差し込んで貫通させ、さらに回転ハンドル１０２の表側に突出した回転軸１０３の溝１０８にＥリング１０７を嵌めて抜け止めするようになっている。  
【発明の概要】
【発明が解決しようとする課題】
【０００３】
従来のように回転軸１０３にＥリング１０７を嵌めて抜け止めする構造には、第一にＥリング１０７の装着に手間取るため作業性と生産性が低下する、第二にＥリング１０７を使用する分だけ部品コストが上昇する、などの不具合があった。
【０００４】
本発明は上記に鑑みなされたもので、その目的はＥリングの使用を不要とし、しかも簡単に回転軸の取り付けが行える電動式パチンコ機の操作ハンドルを提供することにある。
【課題を解決するための手段】
【０００５】
上記の目的を達成するため本発明は、パチンコ機側に取り付けられる固定的なベース部材と、そのベース部材に回転自在に取り付けられる回転ハンドルと、その回転ハンドルの中心を通り且つ回転ハンドルの回転力をパチンコ機の裏側に伝達する回転軸と、前記回転ハンドルを挟んで前記ベース部材に連結される固定的なキャップ部材とを有し、回転ハンドルの回転量を加減することによって発射球の打球勢を調節するようにした電動式パチンコ機の操作ハンドルにおいて、前記回転軸のキャップ部材側の端部に回転ハンドルに設けた回転軸挿通用の軸孔を通り抜けない形状の軸頭部を形成し、その軸頭部の引っ掛かりによって回転軸のパチンコ機側への移動を規制するようになし、一方、回転軸の軸頭部端面に前記キャップ部材の受部を臨ませて回転軸の反対方向への移動を規制するようにした電動式パチンコ機の操作ハンドルを提供する。
【発明の効果】
【０００６】
本発明の操作ハンドルは、回転軸の軸頭部を回転ハンドルとキャップ部材の間に挟んで軸方向の移動を規制するようにしたため、回転軸抜け止め用のＥリングが一切不要であり、また、キャップ部材をベース部材に取り付ければそれだけで回転軸が固定できる。従って部品コストの削減、作業性と生産性の飛躍的向上、という優れた効果がある。
【図面の簡単な説明】
【０００７】
【図１】操作ハンドルの分解斜視図である。
【図２】使用状態を示す要部の縦断面図である。
【図３】他の形態を示す回転軸の斜視図である。
【図４】図３の使用状態を示す要部断面図である。
【図５】軸受手段の他の形態を示す要部の縦断面図である。
【図６】従来の操作ハンドルの分解斜視図である。
【図７】従来の操作ハンドルの要部断面図である。
【発明を実施するための形態】
【０００８】
以下に本発明の実施の形態を図面を参照しつつ説明する。なお、図１は操作ハンドルの分解斜視図、図２は使用状態を示す要部の縦断面図、図３は他の形態を示す回転軸の斜視図、図４は図３の使用状態を示す要部断面図、図５は軸受手段の他の形態を示す要部の縦断面図である。
【０００９】
電動式パチンコ機には周知のように前枠１の右下コーナー部分に操作ハンドル２が取り付けられている。この操作ハンドル２は、図１，図２に示したように、パチンコ機側の前枠１に木ねじ等で取り付けられる固定的なベース部材３と、そのベース部材３に回転自在に取り付けられる回転ハンドル４と、その回転ハンドル４の中心を通り且つ回転ハンドル４の回転力を前枠１の裏側に取り付けた打球発射装置のばね力調節用プーリー５に伝達する回転軸６と、前記回転ハンドル４を挟んで前記ベース部材３に連結される固定的なキャップ部材７とからなる。
【００１０】
前記ベース部材３は、浅いカップ形態の機能部３ａに取付筒部３ｂを一体に突設してなり、前記機能部３ａに前記打球発射装置をＯＮ・ＯＦＦさせるマイクロスイッチ３ｃと、そのマイクロスイッチ３ｃのアクチュエータ片３ｄに先端が臨み且つ回転ハンドル４に爪片３ｅを係合させさらに軸３ｆを中心として揺動する正面視略Ｌ字状のリンク部材３ｇと、回転軸６を通す軸筒部３ｈと、キャップ部材７を支持するための支持筒部３ｊ，３ｊ，３ｊとを設けてなる。
【００１１】
前記回転ハンドル４は、回転軸６を通すために設けた円形の軸孔４ａと、その軸孔４ａを中心として弧状に穿設した二つのガイド孔４ｂ，４ｂとを有し、前記ベース部材３の機能部３ａの正面に被さってガイド孔４ｂ，４ｂに機能部３ａの支持筒部３ｊを臨ませる。また、回転ハンドル４には回転軸６の後述する軸頭部６ｂが収まる受筒４ｃが突設され、さらに外周には指掛け用の凸部４ｄ，４ｄ，４ｄが設けられている。
【００１２】
前記回転軸６は金属又は合成樹脂製であって、一様な太さの主軸部６ａと、その主軸部６ａの一端に形成した軸頭部６ｂと、前記主軸部６ａの他端に形成した係合部６ｃとからなる。前記軸頭部６ｂは主軸部６ａより太径の円柱を基本形としその円柱の一部を平らに切除した断面非円形である。また、前記係合部６ｃは主軸部６ａの端部を平らに切除して形成されており、前記ばね力調節用プーリー５に抜き差し自在に係合する。
【００１３】
前記キャップ部材７は、中空で半球状のキャップ主体７ａと、そのキャップ主体７ａの開口を塞ぐ円盤形のプレート７ｂと、そのプレート７ｂに突設されたネジ筒部７ｃ，７ｃ，７ｃとを有する。このキャップ部材７は前記回転ハンドル４の正面に被さって前記ベース部材３の支持筒部３ｊにネジ筒部７ｃを嵌合させ、さらにネジ筒部７ｃにベース部材３側から通したビス８を締め付けてベース部材３と一体化する。また、前記プレート７ｂの中央には前記回転軸６の軸頭部６ｂに対向する立面状の受部７ｄが設けられており、さらにその受部７ｄの中心に半球形又は円柱形又は円錐形等の小突起形態か又は受部７ｄの全面を半球形又は円錐形等のように中心に向けて盛り上げた山形々態の軸受手段９が設けられている。
【００１４】
本発明の操作ハンドル２は以上のように構成されているため、その組み立ては、ベース部材３に回転ハンドル４を取り付け、回転ハンドル４の軸孔４ａに回転軸６の主軸部６ａを通して軸頭部６ｂを受筒４ｃに嵌め、回転ハンドル４の正面にキャップ部材７を被せてそのキャップ部材７とベース部材３をビス８で締め付ける、という順序で行う。
【００１５】
こうして組み立てた状態において回転軸６は軸頭部６ｂが回転ハンドル４とキャップ部材７の間に挟まって軸方向への移動が規制された状態になるため、回転軸６が抜け落ちず、しかも、ばね力調節用プーリー５への回転軸６の抜き差しも従来と変わらない。
【００１６】
そして、パチンコ機に取り付けた状態で回転ハンドル４を回すと、受筒４ｃと軸頭部６ｂの嵌合により回転軸６が一緒に回ってばね力調節用プーリー５が回転する。なお、キャップ部材７の受部７ｄに設けた軸受手段９は、回転軸６とキャップ部材７の摩擦抵抗を激減させて回転ハンドル４の回転を軽快にする働きがある。
【００１７】
以上本発明を実施の形態について説明したが、もちろん本発明は上記実施形態に限定されるものではない。例えば、実施形態では回転軸６の軸頭部６ｂと主軸部６ａを異径にして段付き構造としたが、図３，図４に示したように回転軸６の軸頭部６ｂを中実丸棒とし主軸部６ａに平面部６ｄを設けて断面非円形々状にしてもよい。この場合、回転ハンドル４の軸孔４ａが主軸部６ａに合致する非円形々状となり、また、図４のように回転ハンドル４の受筒４ｃが不要になり、結局回転ハンドル４が従来と同じ形状（図６の回転ハンドル１０２参照）になる。従って回転軸６とキャップ部材７の構造を僅かに変更すればよく、従来の操作ハンドルの金型を使って低コスト化が可能である。
【００１８】
また、キャップ部材７の受部７ｄと回転軸６の軸頭部６ｂとの間に設けた軸受手段９は、実施形態のように受部７ｄ側に設ける構成に限らず、図５に示したように回転軸６の軸頭部６ｂの端面を円錐形、半球状等のように中心に向かって盛り上がる山形にするか或いは円柱形、半球状等の短軸を突設する構造にしてもよい。さらにまた操作ハンドル２は、ばね力調節用プーリー５に直結させて発射球の打球勢を調節するものに限定されず、例えば回転軸６の回転角を電気信号に変換して打球発射装置の発射モータのトルクを増減させるものにも使用可能である。
【符号の説明】
【００１９】
２  …操作ハンドル
３  …ベース部材
４  …回転ハンドル
４ａ…軸孔
６  …回転軸
６ｂ…軸頭部
７  …キャップ部材
７ｄ…受部
【図１】
2010269180.tif 000003
【図２】
2010269180.tif 000004
【図３】
2010269180.tif 000005
【図４】
2010269180.tif 000006
【図５】
2010269180.tif 000007
【図６】
2010269180.tif 000008
【図７】
2010269180.tif 000009